(57)【要約】      （修正有）【課題】複数の使用機能を備えた組立て玩具の提供。【解決手段】プレイマットのような発泡材料のマットに、組立てに用いる組立・分解可能部材を設け、組立・分解可能部材が上板、２つの長側板、２つの短側板、底板、頭板と尾棒を含み、上板に複数の凹陥槽と１つの槽孔が設けられ、長側板の上部に、上板の凹陥槽に嵌入して結合するために用いる複数のほぞ部が設けられ、長側板の両辺及び下辺に複数の槽孔が設けられ、短側板に複数のほぞ部と複数の槽孔が設けられ、短側板のほぞ部と長側板の槽孔及び上板の凹陥槽が結合、底板がほぞ部を長側板の槽孔及び短側板の槽孔と相互に嵌合して組立てられ、頭板が上板及び短側板と相互に嵌合して組立てられ、尾棒が短側板と相互に嵌合して組立てられる。マットに美観、面白さ、装飾等の効果を具備させ、組立・分解可能部材をマットから分離した後、積み木遊びに用いることができ、かつ組立・分解可能部材をすばやく木馬の玩具に組立てることもでき、その内部に物品を収容し、収納箱として用いる。【選択図】図１
0003224463.tif 000002
【実用新案登録請求の範囲】
【請求項１】
組立て玩具であって、複数の発泡材料のマットに、組立てに用いることができる組立・分解可能部材を設け、該組立・分解可能部材が、上板と、２つの長側板と、２つの短側板と、底板と、頭板と、尾棒を含み、
該上板の底面に複数の凹陥槽が設けられ、該上板に貫通状の槽孔が設けられ、
該長側板の上部に、該上板の凹陥槽に嵌入して結合するために用いる複数のほぞ部が設けられ、該長側板両辺及び下辺に複数の貫通状の槽孔が設けられ、
該短側板の両辺及び上辺に複数のほぞ部と複数の貫通状の槽孔が設けられ、該短側板両辺のほぞ部と該長側板両辺の槽孔が相互に嵌合して組み立てられ、該短側板上辺のほぞ部が該上板の凹陥槽に嵌入して結合され、
該底板の周辺にそれぞれ少なくとも１つのほぞ部が設けられ、該底板のほぞ部と該長側板下辺の槽孔及び該短側板のいずれか１つの槽孔が相互に嵌合して組み立てられ、
該頭板と該上板の槽孔及びそのうち１つの短側板のそのうち１つの別の槽孔が相互に嵌合して組み立てられ、
該尾棒とそのうち１つの別の短側板のそのうち１つの別の槽孔が相互に嵌合して組み立てられる、
ことを特徴とする、組立て玩具。
【請求項２】
前記上板と、該長側板と、該短側板と、該底板を組み立てた後形成される空間内に支持板が設けられ、該支持板の四側がそれぞれ該上板、該長側板、該底板に嵌入されて結合される、ことを特徴とする、請求項１に記載の組立て玩具。
【請求項３】
前記上板が多層状であり、かつ相隣する２層を異なる色から選択することができ、該上板の各層が相互に対応する位置決め孔を備え、これらの対応する位置決め孔の中に固定ブロックを嵌入して、該上板の各層を固定し、一体として組み立てることを特徴とする、請求項１に記載の組立て玩具。
【考案の詳細な説明】
【技術分野】
【０００１】
本考案は玩具に関し、特に、複数の使用機能を備えた組立て玩具に関する。
【背景技術】
【０００２】
現在、多くの家庭において、子供が転んでケガをすることがないように室内の床面に敷くプレイマットなどのジョイントマットが広く普及しているが、上述の従来のマットはその構造に付加的機能はなく、機能が単調であり、マットを異なる色で製造して色に変化をつけたり、マット表面に模様や文字を設けたりする程度の工夫しかなく、実用的機能性に優れない。
【０００３】
また、子供がいる家庭には多くの玩具があるが、玩具は遊ばないとき一定の空間を占用する。例えば木馬玩具は使用しないとき分解して収納することができず、家庭空間を占用するため、不便である。
【考案の概要】
【考案が解決しようとする課題】
【０００４】
本考案の目的は、複数の使用機能を備えた組立て玩具を提供することにある。
【課題を解決するための手段】
【０００５】
以下この考案について説明する。請求項１に記載する組立て玩具は、複数の発泡材料のマットに、組立てに用いることができる組立・分解可能部材を設け、該組立・分解可能部材が、上板と、２つの長側板と、２つの短側板と、底板と、頭板と、尾棒を含み、
該上板の底面に複数の凹陥槽が設けられ、該上板に貫通状の槽孔が設けられ、
該長側板の上部に、該上板の凹陥槽に嵌入して結合するために用いる複数のほぞ部が設けられ、該長側板両辺及び下辺に複数の貫通状の槽孔が設けられ、
該短側板の両辺及び上辺に複数のほぞ部と複数の貫通状の槽孔が設けられ、該短側板両辺のほぞ部と該長側板両辺の槽孔が相互に嵌合して組み立てられ、該短側板上辺のほぞ部が該上板の凹陥槽に嵌入して結合され、
該底板の周辺にそれぞれ少なくとも１つのほぞ部が設けられ、該底板のほぞ部と該長側板下辺の槽孔及び該短側板のいずれか１つの槽孔が相互に嵌合して組み立てられ、
該頭板と該上板の槽孔及びそのうち１つの短側板のそのうち１つの別の槽孔が相互に嵌合して組み立てられ、
該尾棒とそのうち１つの別の短側板のそのうち１つの別の槽孔が相互に嵌合して組み立てられる。
【０００６】
請求項２に記載する組立て玩具は、請求項１における上板と、該長側板と、該短側板と、該底板を組み立てた後形成される空間内に支持板が設けられ、該支持板の四側がそれぞれ該上板、該長側板、該底板に嵌入されて結合される。
【０００７】
請求項２に記載する組立て玩具は、請求項１における上板が多層状であり、かつ相隣する２層を異なる色から選択することができ、該上板の各層が相互に対応する位置決め孔を備え、これらの対応する位置決め孔の中に固定ブロックを嵌入して、該上板の各層を固定し、一体として組み立てる。
【考案の効果】
【０００８】
マットに美観、面白さ、装飾等の効果を具備させ、組立・分解可能部材をマットから分離した後、積み木遊びに用いることができ、かつ組立・分解可能部材をすばやく木馬の玩具に組立てることもでき、さらにその内部に物品を収容し、収納箱として用いることができる。かつ木馬の玩具は重量が軽く、分解後マットと結合して一体とすることができ、空間を占有せずに収納できる。このように従来のプレイマットに複数の実用性を追加することができる。
【図面の簡単な説明】
【０００９】
【図１】本考案のプレイマットの実施例の立体図である。
【図２】本考案の組立・分解可能部材をマットから分離した立体分解図である。
【図３】本考案を組み立てて構成する木馬の玩具の立体分解図である。
【図４】本考案を組み立てて構成する木馬の玩具の立体図である。
【図５】上板の別の実施例の立体分解図である。
【考案を実施するための形態】
【００１０】
図１から図４に示すように、本考案は複数の発泡材料のマット９０に組立てに用いることができる組立・分解可能部材を設け、該組立・分解可能部材が、上板１０と、２つの長側板２０と、２つの短側板３０と、底板４０と、頭板５０と、尾棒６０を含む。
【００１１】
該上板１０の底面に複数の凹陥槽１１が設けられ、該上板１０に貫通状の槽孔１２が設けられる。
【００１２】
該長側板２０の上部に、該上板１０の凹陥槽１１に嵌入して結合するために用いる複数のほぞ部２１が設けられ、該長側板２０両辺及び下辺に複数の貫通状の槽孔２２が設けられる。
【００１３】
該短側板３０の両辺及び上辺に複数のほぞ部３１と複数の貫通状の槽孔３２が設けられ、該短側板３０両辺のほぞ部３１と該長側板２０両辺の槽孔２２が相互に嵌合して組み立てられ、該短側板３０上辺のほぞ部３１が該上板１０の凹陥槽１１に嵌入して結合される。
【００１４】
該底板４０の周辺にそれぞれ少なくとも１つのほぞ部４１が設けられ、該底板４０のほぞ部４１と該長側板２０下辺の槽孔２２及び該短側板３０のいずれか１つの槽孔３２が相互に嵌合して組み立てられる。
【００１５】
該頭板５０と該上板１０の槽孔１２及びそのうち１つの短側板３０のそのうち１つの別の槽孔３２が相互に嵌合して組み立てられる。
【００１６】
該尾棒６０とそのうち１つの別の短側板３０のそのうち１つの別の槽孔３２が相互に嵌合して組み立てられる。
【００１７】
一実施態様において、該上板１０と、該長側板２０と、該短側板３０と、該底板４０を組み立てた後形成される空間内に支持板７０が設けられ、該支持板７０の四側がそれぞれ該上板１０、該長側板２０、該底板４０に嵌入されて結合される。
【００１８】
一実施態様において、該長側板２０と、該底板４０を組み立てた後の該底板４０の下側に支持棒８０が設けられ、該支持棒８０の二側がそれぞれ該長側板２０の槽孔２２に嵌入されて結合される。
【００１９】
一実施態様において、該長側板２０の下側が円弧形である。
【００２０】
一実施態様において、該頭板５０にハンドルバー５１が挿設され、該ハンドルバー５１が木材より選択される。
【００２１】
一実施態様において、該上板１０が多層状であり、かつ相隣する２層を異なる色から選択できる。
【００２２】
以上のように本考案の各部構成部材及びその構成方法を説明してきたが、続いて本考案の使用上の特徴、効果を説明する。
【００２３】
図１、図２に示すように、本考案はマット９０に美観、面白さ、装飾等の効果を具備させ、組立・分解可能部材をマット９０から分離した積み木遊びに用いることができる。
【００２４】
図３、図４に示すように、本考案の組立・分解可能部材はすばやく木馬の玩具に組立てることができ、かつ上板１０、頭板５０を取り外した後、該長側板２０、該短側板３０、該底板４０を組み立てて形成された空間内に物品を収容して収納箱とすることができる。かつ木馬の玩具は重量が軽く、分解後マット９０と結合して一体とすることができ、空間を占有せずに収納できる。このように従来のプレイマットに複数の実用性を追加することができる。
【００２５】
本考案は平面保護マット商品の使用価値を高め、使用寿命を延長でき、一般的な平面保護マットを子供の成長に合わせて立体的な木馬に変換し、子供の異なる成長段階に合わせて使用することができる。
【００２６】
本考案のマット９０を床面に置いたときは保護作用を有し、立体的な木馬に変換したときはバランス感覚を訓練する教具となる。本考案は平面から立体への変換、または立体から平面への変換のどちらもすばやく行うことができる。
【００２７】
図５に示すように、一実施態様において、該上板１０は多層状とし、かつ相隣する２層を異なる色から選択することができる。該上板１０の各層が相互に対応する位置決め孔１３を備え、これらの対応する位置決め孔１３の中に固定ブロック１４を嵌入して、該上板１０の各層を固定し、一体として組み立てることができる。
【符号の説明】
【００２８】
１０        上板
１１        凹陥槽
１２        槽孔
１３        位置決め孔
１４        固定ブロック
２０        長側板
２１        ほぞ部
２２        槽孔
３０        短側板
３１        ほぞ部
３２        槽孔
４０        底板
４１        ほぞ部
５０        頭板
５１        ハンドルバー
６０        尾棒
７０        支持板
８０        支持棒
９０        マット
【図１】
0003224463.tif 000003
【図２】
0003224463.tif 000004
【図３】
0003224463.tif 000005
【図４】
0003224463.tif 000006
【図５】
0003224463.tif 000007